(57)【要約】      （修正有）【課題】容器内の芳香剤が豊量のうちは通常設置した状態で側面から芳香剤の残量を容易に確認することができるが、芳香剤が少なくなって残滓だけになった場合には側面からそれを確認することはできず、したがって見栄えを損なうことはないが、容器を上から覗いたときには容器内底部の芳香剤の残滓が確認できるので、交換時期を容易に判断できるという利点を有し、しかも美観的にも優れている芳香剤容器を提供する。【解決手段】頂部に開口を有し内部に芳香剤を収納する透明材料からなる容器と、開口に装着された蓋体とからなり、容器はその上部から下部にかけて漸次透明度を低くした。【選択図】図１
0003141962.tif 000002
【実用新案登録請求の範囲】
【請求項１】
頂部に開口を有し内部に芳香剤を収納する透明材料からなる容器と、前記開口に装着された蓋体とからなり、前記容器はその上部から下部にかけて漸次透明度を低くしたことを特徴とする芳香剤容器。
【請求項２】
前記容器の上部は透明で、下部に向かって徐々に透明度が低くなり、最下部は不透明に構成してあることを特徴とする請求項１に記載の芳香剤容器。
【請求項３】
前記容器の上部は半透明で、下部に向かって徐々に透明度が低くなり、最下部は不透明に構成してあることを特徴とする請求項１に記載の芳香剤容器。
【請求項４】
前記容器の最下部は、容器を側面から見たときに容器内底部の芳香剤の残滓が見えないように不透明に構成してあることを特徴とする請求項１乃至請求項３の何れかに記載の芳香剤容器。
【請求項５】
前記容器の上部は、容器を上から覗いたときに容器内底部の芳香剤の残滓が確認できる程度の透明度に構成してあることを特徴とする請求項１乃至請求項４の何れかに記載の芳香剤容器。
【請求項６】
前記容器への塗装によって前記容器の上部から下部にかけて漸次透明度を低くしたことを特徴とする請求項１乃至請求項５の何れかに記載の芳香剤容器。
【請求項７】
前記容器への膜蒸着の形成によって前記容器の上部から下部にかけて漸次透明度を低くしたことを特徴とする請求項１乃至請求項５の何れかに記載の芳香剤容器。
【請求項８】
前記容器の周囲に、上部から下部にかけて徐々に光透過率を低くしたフィルムを巻き付けたことを特徴とする請求項１乃至請求項５の何れかに記載の芳香剤容器。
【請求項９】
頂部に開口を有し内部に芳香剤を収納する透明材料からなる容器と、前記開口に装着された蓋体とからなり、前記容器はその上部から下部にかけて漸次透明度が低くなるように任意の不透明パターンを付着させたことを特徴とする芳香剤容器。
【考案の詳細な説明】
【技術分野】
【０００１】
この考案は車載用芳香剤などに使用される芳香剤容器の改良に関するもので、芳香剤が少なくなったときに、芳香剤の変色や固化、変形などによって外観的に見栄えが悪くなることを防止した芳香剤容器に関する。
【背景技術】
【０００２】
これまで、車載用芳香剤を入れる容器には、全体が透明、半透明又は不透明のものが使用されてきた。全体が透明のものは内部の芳香剤の残量を確認しやすいが、芳香剤が少なくなると、芳香剤の変色や固化、変形など、残滓がそのまま見えるため外観上見栄えが悪くなる。
【０００３】
また、容器全体を半透明にしたものは、例えば特開２００４−２１０２９６号公報や特開２００６−３６２９２号公報に開示されている。前者は容器の色と芳香剤の色とが重なり合うようにして芳香剤が少なくなるまでの間の視認価値の向上を図ったものであるが、芳香剤の残滓によって見苦しくなるという問題は解決できない。また、後者は容器全体に半透明の金属蒸着を形成して遮光性を得るとともに金属光沢の外観が得られるようにしたものであるが、この構造でも芳香剤の残滓によって見苦しくなるという問題は解決できない。
【０００４】
さらに、容器全体が不透明のものは、芳香剤の残量が全く確認できないという欠点がある。
【特許文献１】特開２００４−２１０２９６号公報
【特許文献２】特開２００６−  ３６２９２号公報
【考案の開示】
【考案が解決しようとする課題】
【０００５】
この考案は前記背景技術に見られるような芳香剤容器の欠点を除去して、容器内の芳香剤が豊量のうちは通常設置した状態で側面から芳香剤の残量を容易に確認することができるが、芳香剤が少なくなって残滓だけになった場合には側面からそれを確認することはできず、したがって見栄えを損なうことはないが、容器を上から覗いたときには容器内底部の芳香剤の残滓が確認できるので、交換時期を容易に判断できるという利点を有し、しかも美観的にも優れている芳香剤容器を提供することを目的とするものである。
【課題を解決するための手段】
【０００６】
本考案は前記課題を達成するために、頂部に開口を有し内部に芳香剤を収納する透明材料からなる容器と、前記開口に装着された蓋体とからなる芳香剤容器において、前記容器はその上部から下部にかけて漸次透明度を低くして最下部を不透明に構成したことを特徴とする。
【０００７】
また、前記容器の上部は透明で、下部に向かって徐々に透明度が低くなり、最下部は不透明に構成してあることを特徴とする。
【０００８】
また、前記容器の上部は半透明で、下部に向かって徐々に透明度が低くなり、最下部は不透明に構成してあることを特徴とする。
【０００９】
さらに、前記容器の最下部は、容器を側面から見たときに容器内底部の芳香剤の残滓が見えないように不透明に構成してあることを特徴とする。
【００１０】
さらに、前記容器の上部は、容器を上から覗いたときに容器内底部の芳香剤の残滓が確認できる程度の透明度に構成してあることを特徴とする。
【００１１】
また、前記容器への塗装によって前記容器の上部から下部にかけて漸次透明度を低くしたことを特徴とする。
【００１２】
また、前記容器への膜蒸着の形成によって前記容器の上部から下部にかけて漸次透明度を低くしてもよい。
【００１３】
また、前記容器の周囲に、上部から下部にかけて徐々に光透過率を低くしたフィルムを巻き付ける構造とすることもできる。
【００１４】
さらに、頂部に開口を有し内部に芳香剤を収納する透明材料からなる容器と、前記開口に装着された蓋体とからなり、前記容器はその上部から下部にかけて漸次透明度が低くなるように任意の不透明パターンを付着させたことを特徴とする。
【考案の効果】
【００１５】
本考案のような構成によれば、容器に入った芳香剤の販売時、使用開始時には芳香剤の残量を容易に確認することができ、芳香剤が少なくなって残滓だけになった場合には側面からそれを確認することはできないから見栄えを損なうこともなく、容器を上から覗いたときには容器内底部の芳香剤の残滓が確認できるので、交換時期を容易に判断できる。しかも、商品デザインの選択幅も広がるという効果がある。
【考案を実施するための最良の形態】
【００１６】
以下図面によって本考案の実施例を説明する。
【実施例１】
【００１７】
図１は頂部に開口１１を有し内部に芳香剤を収納するガラス製の容器１２を示す。開口１１には図示していない蓋体が装着される。容器１２は本来透明であるが、蓋体の装着部を除いて、適当な色、例えば青、紫などの塗料によって半透明に着色されている。そして、その透明度は容器の上部から下部にかけて漸次透明度が低下して、容器の最下部では不透明となるように塗装してある。すなわち容器の透明度にグラデーションを付してある。もちろん、容器の上部を透明にしておき、適当な位置から半透明にしつつ前記グラデーションを付す構成としてもよい。このグラデーションの付け方は、芳香剤の販売時、使用開始時には芳香剤の残量を容易に確認することができ、芳香剤が少なくなって残滓だけになった場合には側面からそれを確認することはできないようにすることが肝心である。しかも容器を上から覗いたときには容器内底部の芳香剤の残滓が確認できるようにしておく必要がある。かかる構成によって芳香剤が少なくなって残滓だけになった場合には側面からそれを確認することはできず、したがって見栄えを損なうことはないが、容器を上から覗いたときには容器内底部の芳香剤の残滓が確認できるので、交換時期を容易に判断できる。
【実施例２】
【００１８】
また、前記実施例は容器に対する塗装についてグラデーションを付すことによって容器の上部と下部の透明度を変える例について説明したが、塗装の代わりに金属、プラスチックの蒸着膜によっても透明度のグラデーションを付すことができる。
【実施例３】
【００１９】
さらに、容器の周囲に、上部から下部にかけて徐々に光透過率を低くしたフィルムを巻き付けることによっても前記各実施例と同様の効果を得ることが可能である。前記フィルムはペットボトルなどに用いられている熱収縮性のものなどが適当である。
【実施例４】
【００２０】
前記の実施例は何れも容器の透明度を変化させるために、塗料、蒸着膜、フィルムの濃度、厚み、光透過率にグラデーションを付した例について説明したが、本発明はこれら以外の手段でも実施することができる。すなわち、シール、テープ、塗料など非透光性の材料で任意形状の不透明パターンを形成し、これを容器に対して上部から下部にかけて漸次透明度が低くなるように付着させることによっても目的を達成することができる。
【産業上の利用可能性】
【００２１】
本考案の芳香剤容器は、容器に入った芳香剤の販売時、使用開始時には芳香剤の残量を容易に確認することができ、芳香剤が少なくなって残滓だけになった場合には側面からそれを確認することはできないから見栄えを損なうこともない芳香剤容器として産業上広く利用する事が出来る。
【図面の簡単な説明】
【００２２】
【図１】本考案の実施状態を示す容器の参考図である。
【符号の説明】
【００２３】
１１：開口
１２：容器
【図１】
0003141962.tif 000003